(57)【要約】      （修正有）【課題】軽量でありながら、高い光学性能を有する接眼レンズを提供する。【解決手段】非球面形状のレンズ面を有する樹脂レンズを２枚以上含み、負の屈折力のレンズを２枚以上含む、５枚以上のレンズを有する接眼レンズであって、接眼レンズの中で最も観察側に配置されたレンズの材料はガラス材料であり、樹脂レンズの材料の比重をＲｄｅｎｓとしたとき、接眼レンズに含まれる全ての樹脂レンズの材料が、０．５＜Ｒｄｅｎｓ＜１．５、なる条件式を満足する。【選択図】図１
2016051066.tif 000002
【特許請求の範囲】
【請求項１】
非球面形状のレンズ面を有する樹脂レンズを２枚以上含む、５枚以上のレンズを有する接眼レンズであって、
前記接眼レンズの中で最も観察側に配置されたレンズＬｅの材料はガラス材料であり、
前記樹脂レンズの材料の比重をＲｄｅｎｓとしたとき、前記接眼レンズに含まれる全ての樹脂レンズの材料が、
０．５＜Ｒｄｅｎｓ＜１．５
なる条件式を満足する材料であることを特徴とする接眼レンズ。
【請求項２】
負の屈折力のレンズを２枚以上含むことを特徴とする請求項１に記載の接眼レンズ。
【請求項３】
前記接眼レンズに含まれる全てのレンズの光軸上の厚さの総和をＤ、前記接眼レンズに含まれる全ての樹脂レンズの光軸上の厚さの総和をｄｒとしたとき、
０．２５＜ｄｒ／Ｄ＜０．９５
なる条件式を満足することを特徴とする請求項１または２に記載の接眼レンズ。
【請求項４】
前記接眼レンズに含まれる樹脂レンズの材料のｄ線を基準とした屈折率をｎｄｒ、アッベ数をνｄｒとしたとき、前記接眼レンズに含まれる全ての樹脂レンズの材料が、
１．５５＜ｎｄｒ＋０．００３３×νｄｒ＜１．８０
なる条件式を満足する材料であることを特徴とする請求項１乃至３のいずれか１項に記載の接眼レンズ。
【請求項５】
前記接眼レンズに含まれる樹脂レンズの焦点距離をｆｒ、前記接眼レンズ全系の焦点距離をｆとしたとき、前記接眼レンズに含まれる全ての樹脂レンズが、
−２．５＜ｆ／ｆｒ＜２．０
なる条件式を満足することを特徴とする請求項１乃至４のいずれか１項に記載の接眼レンズ。
【請求項６】
正の屈折力を有する樹脂レンズを少なくとも１枚有し、負の屈折力を有する樹脂レンズを少なくとも１枚有することを特徴とする請求項１乃至５のいずれか１項に記載の接眼レンズ。
【請求項７】
負の屈折力の樹脂レンズを含み、該樹脂レンズの材料のｄ線を基準としたアッベ数をνｄｒｎとしたとき、
５．０＜νｄｒｎ＜３５．０
なる条件式を満足することを特徴とする請求項１乃至６のいずれか１項に記載の接眼レンズ。
【請求項８】
前記接眼レンズに含まれる樹脂レンズの材料のｄ線を基準とした屈折率の温度係数をｄｎｒ／ｄＴとしたとき、前記接眼レンズに含まれる全ての樹脂レンズの材料が、
−５０．０×１０−５／℃＜ｄｎｒ／ｄＴ＜−５．０×１０−５／℃
なる条件式を満足する材料であることを特徴とする請求項１乃至７のいずれか１項に記載の接眼レンズ。
【請求項９】
前記レンズＬｅの材料のｄ線を基準とした屈折率をｎｄＥとしたとき、
１．４５０＜ｎｄＥ＜２．１００
なる条件式を満足することを特徴とする請求項１乃至８のいずれか１項に記載の接眼レンズ。
【請求項１０】
前記レンズＬｅと、該レンズＬｅの物体側に隣接して配置されたレンズの合成焦点距離をｆｅ２、前記接眼レンズに含まれる全てのレンズの光軸上の厚さの総和をＤとしたとき、
１．６０＜ｆｅ２／Ｄ＜１２．００
なる条件式を満足することを特徴とする請求項１乃至９のいずれか１項に記載の接眼レンズ。
【請求項１１】
物体側より観察側へ順に、正の屈折力の第１レンズ、負の屈折力の第２レンズ、正の屈折力の第３レンズ、負の屈折力の第４レンズ、正の屈折力の第５レンズより構成されることを特徴とする請求項１乃至１０のいずれか１項に記載の接眼レンズ。
【請求項１２】
物体側より観察側へ順に、正の屈折力の第１レンズ、負の屈折力の第２レンズ、正の屈折力の第３レンズ、負の屈折力の第４レンズ、正の屈折力の第５レンズ、正の屈折力の第６レンズより構成されることを特徴とする請求項１乃至１０のいずれか１項に記載の接眼レンズ。
【請求項１３】
物体側より観察側へ順に、負の屈折力の第１レンズ、正の屈折力の第２レンズ、正の屈折力の第３レンズ、正の屈折力の第４レンズ、負の屈折力の第５レンズより構成されることを特徴とする請求項１乃至１０のいずれか１項に記載の接眼レンズ。
【請求項１４】
視度調整に際して、前記接眼レンズを構成する全てのレンズが一体的に移動することを特徴とする請求項１乃至１３のいずれか１項に記載の接眼レンズ。
【請求項１５】
画像を表示する画像表示素子と、該画像表示素子の画像表示面に表示される画像を請求項１乃至１４のいずれか１項に記載の接眼レンズで観察する観察装置であって、
前記接眼レンズ全系の焦点距離をｆ、前記画像表示面の対角長をＨとするとき、
０．５０＜Ｈ／ｆ＜１．２０
なる条件式を満足することを特徴とする観察装置。
【請求項１６】
撮像素子と、
前記撮像素子に物体像を形成する撮像光学系と、
前記物体像を表示する画像表示素子と、
前記画像表示素子で表示された画像を観察するために用いられる請求項１乃至１４のいずれか１項に記載の接眼レンズを有することを特徴とする撮像装置。
【発明の詳細な説明】
【技術分野】
【０００１】
本発明は、接眼レンズ及びそれを有する観察装置、撮像装置に関し、例えばビデオカメラ、スチルカメラ、放送用カメラに用いられる電子ビューファインダーにおいて、画像表示素子に表示される画像を観察するのに好適なものである。
【背景技術】
【０００２】
従来、ビデオカメラや放送用カメラ等の光学機器に用いられる電子ビューファインダーには、カメラ内部に備え付けられた液晶画面に表示した画像を拡大観察するための接眼レンズが備えられている。
【０００３】
近年、高い光学性能を有し、軽量化が実現されたビデオカメラや放送用カメラ等の光学機器が求められている。これに伴い、ビデオカメラや放送用カメラ等に備えられるビューファインダー及びビューファインダーを構成する接眼レンズも、軽量であり、高精細な観察像を得られるものであることが求められる。
【０００４】
接眼レンズを構成するレンズの枚数を増やすことで、諸収差を補正し、光学性能の向上を図った接眼レンズが知られている（特許文献１）。
【０００５】
特許文献１の接眼レンズは、５枚以上のレンズにより接眼レンズを構成することで、光学性能の向上を図っている。
【先行技術文献】
【特許文献】
【０００６】
【特許文献１】特開２０１３−４５０２０号公報
【発明の概要】
【発明が解決しようとする課題】
【０００７】
上記のように、高い光学性能を有する接眼レンズを得るために、５枚以上のレンズを用いて接眼レンズを構成することが知られている。
【０００８】
特許文献１の接眼レンズでは、非球面形状の面を有するレンズを２枚以上用いることで光学性能の向上を図っているが、接眼レンズの軽量化を十分に実現できているとはいえない。
【０００９】
本発明は、軽量でありながら、高い光学性能を有する接眼レンズ及びそれを有する観察装置、撮像装置を提供することを目的とする。
【課題を解決するための手段】
【００１０】
本発明の接眼レンズは、非球面形状のレンズ面を有する樹脂レンズを２枚以上含む、５枚以上のレンズを有する接眼レンズであって、前記接眼レンズの中で最も観察側に配置されたレンズＬｅの材料はガラス材料であり、前記樹脂レンズの材料の比重をＲｄｅｎｓとしたとき、前記接眼レンズに含まれる全ての樹脂レンズの材料が、
０．５＜Ｒｄｅｎｓ＜１．５
なる条件式を満足する材料であることを特徴とする。
【発明の効果】
【００１１】
本発明によれば、軽量でありながら、高い光学性能を有する接眼レンズが得られる。
【図面の簡単な説明】
【００１２】
【図１】本発明の実施例１の接眼レンズのレンズ断面図
【図２】本発明の実施例１の接眼レンズの各収差図
【図３】本発明の実施例２の接眼レンズのレンズ断面図
【図４】本発明の実施例２の接眼レンズの各収差図
【図５】本発明の実施例３の接眼レンズのレンズ断面図
【図６】本発明の実施例３の接眼レンズの各収差図
【図７】本発明の実施例４の接眼レンズのレンズ断面図
【図８】本発明の実施例４の接眼レンズの各収差図
【図９】本発明の実施例５の接眼レンズのレンズ断面図
【図１０】本発明の実施例５の接眼レンズの各収差図
【図１１】本発明の実施例６の接眼レンズのレンズ断面図
【図１２】本発明の実施例６の接眼レンズの各収差図
【図１３】本発明の撮像装置の要部概略図
【発明を実施するための形態】
【００１３】
以下、本発明の接眼レンズ及びそれを有する観察装置、撮像装置について添付の図面に基づいて詳細に説明する。本発明の接眼レンズは、樹脂レンズを２枚以上含む、５枚以上のレンズを有する。
【００１４】
図１は、実施例１の接眼レンズの視度が−２．０ディオプター（基準状態）、２．５ディオプター、−６．０ディオプターのときのレンズ断面図である。図２は、実施例１の接眼レンズの基準状態における収差図である。
【００１５】
図３は、実施例２の接眼レンズの視度が−２．０ディオプター（基準状態）、２．０ディオプター、−４．０ディオプターのときのレンズ断面図である。図４は、実施例２の接眼レンズの基準状態における収差図である。
【００１６】
図５は、実施例３の接眼レンズの視度が−２．０ディオプター（基準状態）、２．５ディオプター、−６．０ディオプターのときのレンズ断面図である。図６は、実施例３の接眼レンズの基準状態における収差図である。
【００１７】
図７は、実施例４の接眼レンズの視度が−２．０ディオプター（基準状態）、２．０ディオプター、−４．０ディオプターのときのレンズ断面図である。図８は、実施例４の接眼レンズの基準状態における収差図である。
【００１８】
図９は、実施例５の接眼レンズの視度が−２．０ディオプター（基準状態）、２．０ディオプター、−４．０ディオプターのときのレンズ断面図である。図１０は、実施例５の接眼レンズの基準状態における収差図である。
【００１９】
図１１は、実施例６の接眼レンズの視度が−２．０ディオプター（基準状態）、２．０ディオプター、−４．０ディオプターのときのレンズ断面図である。図１２は、実施例６の接眼レンズの基準状態における収差図である。
【００２０】
図１３は本発明の接眼レンズを備える撮像装置の要部概略図である。
【００２１】
各実施例の接眼レンズＬは、例えば、デジタルカメラやビデオカメラ等の撮像装置の電子ビューファインダーに用いられる。レンズ断面図において左方は画像表示面側（物体側）であり、右方は観察側（アイポイント側）である。Ｉは、液晶素子や有機ＥＬ素子等の画像表示素子の画像表示面である。
【００２２】
実施例１及び２の接眼レンズＬは、物体側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５から成る。
【００２３】
実施例３の接眼レンズＬは、物体側から観察側へ順に、負の屈折力の第１レンズＧ１、正の屈折力の第２レンズＧ２、正の屈折力の第３レンズＧ３、正の屈折力の第４レンズＧ４、負の屈折力の第５レンズＧ５から成る。
【００２４】
実施例４〜６の接眼レンズＬは、物体側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５、正の屈折力の第６レンズＧ６から成る。
【００２５】
ＥＰは、表示面に表示された像をユーザが観察するためのアイポイントである。なお、画像表示面Ｉから第１レンズＧ１の画像表示面側のレンズ面までの間に、画像表示面やレンズを保護するためのプレート等を設けても良い。また、接眼レンズＬとアイポイントＥＰの間に、レンズを保護するためのプレート等を設けても良い。ここで、画像表示面Ｉから出射された軸外光線が、観察者の瞳を通過することができる範囲で、アイポイントＥＰを光軸方向に移動させてもよい。
【００２６】
各収差図では、ファインダー視度が基準状態であるときに各実施例の接眼レンズＬにおいて発生する収差を示している。
【００２７】
球面収差図においては、ｄ線（波長５８７．６ｎｍ）、ｇ線（波長４３５．８ｎｍ）に対する球面収差を示している。非点収差図においてＳはサジタル像面、Ｍはメリディオナル像面である。歪曲収差はｄ線について示している。色収差図ではｇ線における色収差を示している。
【００２８】
本発明の接眼レンズでは、非球面形状のレンズ面を有する樹脂レンズを２枚以上用いることで、歪曲収差や像面湾曲等の軸外収差を良好に補正している。ここで、樹脂レンズは樹脂材料を用いたレンズを意味する。樹脂レンズは、樹脂材料のみから成るレンズであってもよいし、ＩＴＯ（酸化インジウムスズ）やＴｉＯ２（酸化チタン）のようなナノ微粒子を樹脂材料中に分散させたものでもよい。
【００２９】
本発明の接眼レンズでは、非球面形状のレンズ面を有する樹脂レンズの材料として比重の小さい樹脂を用いることで、接眼レンズを構成するレンズを大幅に軽量化している。
【００３０】
樹脂レンズは、ガラス材料を用いたレンズと比較して、レンズ面を非球面形状とすることが容易であり、また、一般に、樹脂材料はガラス材料と比較してコストが低い。ゆえに、非球面形状の面を有するレンズ（以下、非球面レンズと記載する）の材料を樹脂材料とすることで、製造コストや材料費を低減させることができる。
【００３１】
一般に樹脂材料はガラス材料に比べ、耐環境性が低い。例えば樹脂材料はガラス材料と比較して柔らかいため、樹脂レンズは傷が付きやすい。また、ゴーストやフレア軽減のためにレンズ表面に金属酸化物等の反射防止膜を施す場合、樹脂材料はガラス材料と比較して密着性が低いため、溶剤等を用いてレンズ表面を拭いた際に膜が剥がれやすい。さらに、樹脂材料は、ガラス材料と比較して、温度変動や湿度変動に伴う屈折率及び形状の変化が大きく、外部環境に応じて光学特性が変化しやすい。
【００３２】
そこで、本発明の接眼レンズでは、最も観察側に配置されたレンズＬｅの材料をガラス材料とすることにより、外部環境が変化しても接眼レンズ全体としての光学特性が大きく変化しないようにしている。ガラス材料を用いたレンズ（ガラスレンズ）により、太陽光等に含まれる紫外線を吸収することで、紫外線による樹脂レンズの変色を防止することができ、樹脂レンズの光学特性の劣化を抑制することができる。また、樹脂レンズと外部環境との間にガラスレンズを配置することで、樹脂レンズの温度変動や湿度変動を低減させている。このように、外部環境からできるだけ距離を置いて樹脂材料を配置することで、外部環境に対する樹脂材料の光学特性の変動を抑制することができる。
【００３３】
また、本発明の接眼レンズでは、非球面レンズを２枚以上用いることにより、像面湾曲や歪曲収差等の軸外収差を良好に補正している。
【００３４】
各実施例において、樹脂材料の比重をＲｄｅｎｓとしたとき、接眼レンズに含まれる全ての樹脂レンズの材料は
０．５０＜Ｒｄｅｎｓ＜１．５０…（１）
なる条件式を満足する材料である。
【００３５】
条件式（１）を満足する樹脂材料としては、シクロオレフィン樹脂、アクリル樹脂（例えばＰＭＭＡ）、ポリカーボネート樹脂、ポリエステル樹脂等が知られている。これらの樹脂材料を射出成型することにより、非球面レンズを容易に作成することができる。
【００３６】
一般的なガラス材料の比重は２．５〜５．５程度であるため、条件式（１）を満足する樹脂材料を用いることで、レンズの重量を大幅に低減することができる。
【００３７】
条件式（１）の上限値を超えて、樹脂材料の比重が大きすぎると、接眼レンズを十分に軽量化することが困難になるため好ましくない。また、条件式（１）の下限値を超えると、レンズ材料として選択可能な樹脂材料が限定されてしまうため好ましくない。
【００３８】
各実施例の接眼レンズにおいて、条件式（１）を満足する樹脂材料を用いた非球面レンズを少なくとも２枚用いることにより、軽量でありながら、高い光学性能を有する接眼レンズを得ることができる。
【００３９】
なお、各実施例において、好ましくは条件式（１）の数値範囲を次のようにするのがよい。
０．７０＜Ｒｄｅｎｓ＜１．４０…（１ａ）
【００４０】
また、更に好ましくは条件式（１）の数値範囲を次の如く設定するのが良い。
０．８５＜Ｒｄｅｎｓ＜１．３５…（１ｂ）
【００４１】
ここで、各実施例の接眼レンズＬでは、全てのレンズを光軸方向に一体的に移動させることにより視度調整を行うことができる。各レンズを一体的に移動させることにより、視度変化に伴うコマ収差の変動を小さくすることができる。
【００４２】
さらに、各実施例において、次の条件式のうち１つ以上を満足することがより好ましい。ここで、接眼レンズに含まれる全てのレンズの光軸上の厚さの総和をＤ、接眼レンズに含まれる全ての樹脂レンズの光軸上の厚さの総和をｄｒ、接眼レンズに含まれる樹脂レンズの材料のｄ線を基準とした屈折率をｎｄｒ、アッベ数をνｄｒとする。さらに、接眼レンズに含まれる樹脂レンズの焦点距離をｆｒ、接眼レンズ全系の焦点距離をｆ、接眼レンズに含まれる負の屈折力の樹脂レンズの材料のｄ線を基準としたアッベ数をνｄｒｎとする。また、接眼レンズに含まれる樹脂レンズの材料のｄ線を基準とした屈折率の温度係数をｄｎｒ／ｄＴ、接眼レンズの最も観察側に配置されたレンズＬｅの材料のｄ線を基準とした屈折率をｎｄＥとする。また、レンズＬｅと、レンズＬｅの物体側に隣接して配置されたレンズの合成焦点距離をｆｅ２とする。
【００４３】
このとき、
０．２５＜ｄｒ／Ｄ＜０．９５…（２）
１．５５＜ｎｄｒ＋０．００３３×νｄｒ＜１．８０…（３）
−２．５＜ｆ／ｆｒ＜２．０…（４）
５．０＜νｄｒｎ＜３５．０…（５）
−５０．０×１０−５／℃＜ｄｎｒ／ｄＴ＜−５．０×１０−５／℃…（６）
１．４５０＜ｎｄＥ＜２．１００…（７）
１．６０＜ｆｅ２／Ｄ＜１２．００…（８）
なる条件式のうち１つ以上を満足するのがよい。
【００４４】
ここで、アッベ数νｄは、Ｆ線（４８６．１ｎｍ）、Ｃ線（６５６．３ｎｍ）、ｄ線（５８７．６ｎｍ）に対する材料の屈折率をそれぞれＮＦ、ＮＣ、Ｎｄとするとき、
νｄ＝（Ｎｄ−１）／（ＮＦ−ＮＣ）
で表される数値である。
【００４５】
条件式（２）は、接眼レンズに含まれる全てのレンズの光軸上の厚さの総和Ｄと、接眼レンズに含まれる全ての樹脂レンズの光軸上の厚さの総和ｄｒの比を規定したものである。
【００４６】
条件式（２）の下限値を超えて樹脂レンズの光軸上の厚さの総和ｄｒが小さくなり過ぎると、ガラス材料を用いて構成されるレンズの厚さが厚くなり、接眼レンズの重量が増大するため、好ましくない。
【００４７】
条件式（２）の上限値を超えて樹脂レンズの光軸上の厚さの総和ｄｒが大きくなり過ぎると、外部環境の変化に伴う光学特性の変化が大きくなり、光学性能の低下を招くおそれがあるため好ましくない。
【００４８】
条件式（３）は、接眼レンズに含まれる樹脂レンズの材料を規定したものである。条件式（３）の下限値を超えて、樹脂材料の屈折率ｎｄｒが低くなると、樹脂レンズの屈折力を十分に強めることが困難となり、複数の樹脂レンズの間で収差をキャンセルする効果を十分に得ることが困難になるため、好ましくない。また、樹脂レンズの屈折力を強めるために樹脂レンズのレンズ面の曲率を大きくすると、高次収差が多く発生するため好ましくない。
【００４９】
条件式（３）の上限値を超えて、樹脂材料の屈折率ｎｄｒが高くなると、レンズ材料として選択可能な樹脂材料が限定されてしまうため好ましくない。
【００５０】
条件式（４）は、接眼レンズ全系の焦点距離ｆと、接眼レンズに含まれる樹脂レンズの焦点距離ｆｒの比を規定したものである。
【００５１】
条件式（４）の下限値を超えて、樹脂レンズの負の屈折力が強くなり過ぎると、該樹脂レンズのレンズ面の曲率が大きくなりすぎる。一般に、樹脂材料はガラス材料に比べて屈折率が低いため、樹脂レンズの屈折力を強めるためにはレンズ面の曲率を大きくする必要が生じる。樹脂レンズのレンズ面の曲率が大きくなりすぎると、高次収差が多く発生するため好ましくない。
【００５２】
条件式（４）の上限値を超えて、樹脂レンズの正の屈折力が強くなり過ぎると、該樹脂レンズのレンズ面の曲率が大きくなりすぎる。樹脂レンズのレンズ面の曲率が大きくなりすぎると、高次収差が多く発生するため好ましくない。
【００５３】
条件式（５）は、負の屈折力の樹脂レンズの材料のアッベ数νｄｒｎを規定した条件式である。全体として正の屈折力を有する接眼レンズにおいて、高分散の材料を用いた負レンズを配置することにより、色収差を良好に補正している。
【００５４】
条件式（５）の下限値を超えて負の屈折力の樹脂レンズの材料のアッベ数νｄｒｎが小さくなると、色収差が過剰に補正されることになり好ましくない。また、レンズ材料として選択可能な樹脂材料が限定されてしまうため好ましくない。条件式（５）の上限値を超えて負の屈折力の樹脂レンズの材料のアッベ数νｄｒｎが大きくなると、接眼レンズにおいて色収差を十分に補正することが困難になるため、好ましくない。
【００５５】
条件式（６）は、接眼レンズに含まれる樹脂レンズの材料のｄ線を基準とした屈折率の温度係数ｄｎｒ／ｄＴを規定した条件式である。
【００５６】
条件式（６）の下限値を超えて、温度係数ｄｎｒ／ｄＴの値が大きくなると、温度変化に対する屈折率の変化量が大きくなり過ぎて、像面湾曲や非点収差等の変動が大きくなる。また、温度変化に伴う視度ずれが大きくなるため好ましくない。
【００５７】
条件式（６）の上限値を超えて、温度係数ｄｎｒ／ｄＴの値が小さくなると、レンズ材料として選択可能な樹脂材料が限定されてしまうため好ましくない。
【００５８】
条件式（７）は、接眼レンズの最も観察側に配置されたレンズＬｅの材料の屈折率ｎｄＥを規定する条件式である。
【００５９】
条件式（７）の下限値を超えて、レンズＬｅの材料の屈折率ｎｄＥが小さくなりすぎると、レンズＬｅの屈折力を確保するためにレンズＬｅの曲率を大きくする必要が生じる。その結果、レンズＬｅで発生する球面収差やコマ収差を十分に補正することが困難になるため、好ましくない。
【００６０】
条件式（７）の上限値を超えて、レンズＬｅの材料の屈折率ｎｄＥが大きくなりすぎると、レンズ材料として選択可能な材料が限定されてしまうため好ましくない。
【００６１】
条件式（８）は、レンズＬｅの物体側に隣接して配置されたレンズとレンズＬｅとの合成焦点距離ｆｅ２と、接眼レンズに含まれる全てのレンズの光軸上の厚さの総和Ｄの比を規定した条件式である。
【００６２】
条件式（８）の下限値を超えて、レンズＬｅの物体側に隣接して配置されたレンズとレンズＬｅとの合成焦点距離ｆｅ２が短くなり過ぎると、観察側に配置されるレンズの屈折力が強くなり過ぎる。その結果、接眼レンズの周辺部を通過する光線の角度が大きく変化し、アイポイントの変化に対して視野周辺部が暗くなりやすくなるため、好ましくない。
【００６３】
条件式（８）の上限値を超えて、レンズＬｅの物体側に隣接して配置されたレンズとレンズＬｅとの合成焦点距離ｆｅ２が長くなり過ぎると、観察側に配置されるレンズの屈折力が弱くなり過ぎる。その結果、観察側に配置されたレンズにおいて諸収差を十分に補正することが困難になるため、好ましくない。
【００６４】
なお、好ましくは条件式（２）〜（８）の数値範囲を次の如く設定すると、各条件式がもたらす効果を最大限に得ることができる。
０．３０＜ｄｒ／Ｄ＜０．９３…（２ａ）
１．６０＜ｎｄｒ＋０．００３３×νｄｒ＜１．７７…（３ａ）
−２．０＜ｆ／ｆｒ＜１．６…（４ａ）
１５．０＜νｄｒｎ＜３０．０…（５ａ）
−３０．０×１０−５／℃＜ｄｎ／ｄＴ＜−７．０×１０−５／℃…（６ａ）
１．５１０＜ｎｄＥ＜１．９５０…（７ａ）
１．８０＜ｆｅ２／Ｄ＜９．００…（８ａ）
【００６５】
更に好ましくは条件式（２）〜（８）の数値範囲を次の如く設定するのが良い。
０．３５＜ｄｒ／Ｄ＜０．９２…（２ｂ）
１．６５＜ｎｄｒ＋０．００３３×νｄｒ＜１．７５…（３ｂ）
−１．８＜ｆ／ｆｒ＜１．２…（４ｂ）
１８．０＜νｄｒｎ＜２８．０…（５ｂ）
−２０．０×１０−５／℃＜ｄｎ／ｄＴ＜−９．０×１０−５／℃…（６ｂ）
１．５５０＜ｎｄＥ＜１．８５０…（７ｂ）
２．００＜ｆｅ２／Ｄ＜６．００…（８ｂ）
【００６６】
また、画像表示面Ｉに表示される画像情報を観察する観察装置に対して各実施例の接眼レンズＬを用いるときには、次の条件式を満足するのが良い。
０．５０＜Ｈ／ｆ＜１．２０…（９）
【００６７】
ここで、画像表示面Ｉの対角長をＨとする。
【００６８】
条件式（９）は、画像表示面Ｉの対角長Ｈと、接眼レンズの焦点距離ｆの比を規定した条件式である。
【００６９】
条件式（９）の下限値を超えて接眼レンズの焦点距離ｆが長くなり過ぎると、視野角が狭くなり過ぎてしまうため好ましくない。
【００７０】
条件式（９）の上限値を超えて接眼レンズの焦点距離ｆが短くなり過ぎると、観察側に配置されたレンズの有効径が大きくなり過ぎる。その結果、観察側に配置されたレンズにおいて、コマ収差や非点収差等の軸外収差が多く発生するため好ましくない。
【００７１】
なお、各実施例において、好ましくは条件式（９）の数値範囲を次のようにするのがよい。
０．５５＜Ｈ／ｆ＜１．００…（９ａ）
【００７２】
また、更に好ましくは条件式（９）の数値範囲を次の如く設定するのが良い。
０．６０＜Ｈ／ｆ＜０．９０…（９ｂ）
【００７３】
次に各実施例の接眼レンズのレンズ構成について説明する。実施例１の接眼レンズは、画像表示面側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５より構成される。負の屈折力の第２レンズＧ２、正の屈折力の第３レンズＧ３、負の屈折力の第４レンズＧ４は樹脂レンズである。
【００７４】
第２レンズＧ２、第４レンズＧ４の材料は、ポリカーボネート樹脂（比重１．２４、屈折率の温度係数ｄｎ／ｄＴ＝−１２．０×１０−５、吸水率０．３５％）である。第３レンズＧ３の材料は、シクロオレフィン樹脂（比重１．０１、屈折率の温度係数ｄｎ／ｄＴ＝−１１．０×１０−５、吸水率０．０１％未満）である。第２レンズＧ２、第３レンズＧ３、第４レンズＧ４の各レンズ面を非球面形状にすることで、コマ収差や非点収差、歪曲収差等を良好に補正している。
【００７５】
実施例１の接眼レンズを含むファインダーは、画像表示面の対角長Ｈ＝１８．２ｍｍ、アイレリーフ２７．０ｍｍ、視野角３５．０度である。
【００７６】
実施例２の接眼レンズは、画像表示面側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５より構成される。負の屈折力の第２レンズＧ２、正の屈折力の第３レンズＧ３、負の屈折力の第４レンズＧ４は樹脂レンズである。
【００７７】
第２レンズＧ２、第４レンズＧ４の材料は、ポリカーボネート樹脂（比重１．２４、屈折率の温度係数ｄｎ／ｄＴ＝−１２．０×１０−５、吸水率０．３５％）である。第３レンズＧ３の材料は、メタクリル樹脂（比重１．１９、屈折率の温度係数ｄｎ／ｄＴ＝−１３．０×１０−５、吸水率０．３％）である。第１レンズＧ１、第２レンズＧ２、第３レンズＧ３、第４レンズＧ４、第５レンズＧ５の各レンズ面を非球面形状にすることで、コマ収差や非点収差、歪曲収差等を良好に補正している。
【００７８】
実施例２の接眼レンズを含むファインダーは、画像表示面の対角長Ｈ＝７６．２ｍｍ、アイレリーフ２７．０ｍｍ、視野角４５．０度である。
【００７９】
実施例３の接眼レンズは、画像表示面側から観察側へ順に、負の屈折力の第１レンズＧ１、正の屈折力の第２レンズＧ２、正の屈折力の第３レンズＧ３、正の屈折力の第４レンズＧ４、負の屈折力の第５レンズＧ５より構成される。正の屈折力の第３レンズＧ３、正の屈折力の第４レンズＧ４は樹脂レンズである。
【００８０】
第３レンズＧ３、第４レンズＧ４の材料は、メタクリル樹脂（比重１．１９、屈折率の温度係数ｄｎ／ｄＴ＝−１３．０×１０−５、吸水率０．３％）である。樹脂レンズの一部の面を非球面形状にすることで、コマ収差や非点収差、歪曲収差等を良好に補正している。
【００８１】
また、負の屈折力の第１レンズＧ１の材料のアッベ数と、正の屈折力の第２レンズＧ２の材料のアッベ数の差を大きくすることにより、軸上色収差と倍率色収差の低減を図っている。
【００８２】
実施例３の接眼レンズを含むファインダーは、画像表示面の対角長Ｈ＝３２．０ｍｍ、アイレリーフ３０．０ｍｍ、視野角３５．０度である。
【００８３】
実施例４の接眼レンズは、画像表示面側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５、正の屈折力の第６レンズＧ６より構成される。正の屈折力の第１レンズＧ１、負の屈折力の第２レンズＧ２、正の屈折力の第３レンズＧ３、負の屈折力の第４レンズＧ４、正の屈折力の第５レンズＧ５は樹脂レンズである。
【００８４】
第１レンズ群Ｇ１、第３レンズＧ３、第５レンズＧ５の材料は、シクロオレフィン樹脂（比重１．０１、屈折率の温度係数ｄｎ／ｄＴ＝−１１．０×１０−５、吸水率０．０１％未満）である。第２レンズ群Ｇ２、第４レンズ群Ｇ４の材料は、ポリカーボネート樹脂（比重１．２４、屈折率の温度係数ｄｎ／ｄＴ＝−１２．０×１０−５、吸水率０．３５％）である。
【００８５】
第１レンズＧ１、第２レンズＧ２、第３レンズＧ３、第４レンズＧ４の各レンズ面を非球面形状にすることで、コマ収差や非点収差、歪曲収差等を良好に補正している。
【００８６】
実施例４の接眼レンズを含むファインダーは、画像表示面の対角長Ｈ＝３８．１ｍｍ、アイレリーフ２７．０ｍｍ、視野角４０．０度である。
【００８７】
実施例５の接眼レンズは、画像表示面側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５、正の屈折力の第６レンズＧ６より構成される。負の屈折力の第２レンズＧ２、正の屈折力の第３レンズＧ３、負の屈折力の第４レンズＧ４は樹脂レンズである。
【００８８】
第２レンズＧ２、第４レンズＧ４の材料は、ポリカーボネート樹脂（比重１．２４、屈折率の温度係数ｄｎ／ｄＴ＝−１２．０×１０−５、吸水率０．３５％）である。第３レンズＧ３の材料は、シクロオレフィン樹脂（比重１．０１、屈折率の温度係数ｄｎ／ｄＴ＝−１１．０×１０−５、吸水率０．０１％未満）である。第２レンズＧ２、第３レンズＧ３、第４レンズＧ４の各レンズ面を非球面形状にすることで、コマ収差や非点収差、歪曲収差等を良好に補正している。
【００８９】
実施例５の接眼レンズを含むファインダーは、画像表示面の対角長Ｈ＝７６．２ｍｍ、アイレリーフ２７．０ｍｍ、視野角４０．０度である。
【００９０】
実施例６の接眼レンズは、画像表示面側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５、正の屈折力の第６レンズＧ６より構成される。負の屈折力の第２レンズＧ２、正の屈折力の第３レンズＧ３、負の屈折力の第４レンズＧ４、正の屈折力の第５レンズＧ５は樹脂レンズである。
【００９１】
第２レンズＧ２、第４レンズＧ４の材料は、ポリカーボネート樹脂（比重１．２４、屈折率の温度係数ｄｎ／ｄＴ＝−１２．０×１０−５、吸水率０．３５％）である。第３レンズＧ３、第５レンズＧ５の材料は、シクロオレフィン樹脂（比重１．０１、屈折率の温度係数ｄｎ／ｄＴ＝−１１．０×１０−５、吸水率０．０１％未満）である。第１レンズＧ１、第２レンズＧ２、第３レンズＧ３、第４レンズＧ４、第５レンズＧ５の各レンズ面を非球面形状にすることで、コマ収差や非点収差、歪曲収差等を良好に補正している。
【００９２】
実施例６の接眼レンズを含むファインダーは、画像表示面の対角長Ｈ＝３８．１ｍｍ、アイレリーフ２７．０ｍｍ、視野角４５．０度である。
【００９３】
実施例１、２、４、５、６の接眼レンズは、正の屈折力の樹脂レンズと負の屈折力の樹脂レンズを、それぞれ少なくとも１枚有する。これにより、温度変化に伴う収差変動や視度ずれを良好にキャンセルさせることができる。
【００９４】
また、各実施例の接眼レンズは、負の屈折力のレンズを２枚以上有する。全体として正の屈折力を有する接眼レンズにおいて、負レンズを複数枚配置することにより、軸上色収差や倍率色収差を良好に補正することができる。
【００９５】
次に、本発明の実施例１〜６にそれぞれ対応する数値実施例１〜６を示す。各数値実施例において、ｉは画像表示面側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線を基準とした第ｉ番目の光学部材の材料の屈折率、アッベ数を示す。ｒ１は画像表示面を示し、最も観察側の面はアイポイントＥＰを示す。
【００９６】
またｋを離心率、Ａ４、Ａ６、Ａ８を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８
で表示される。但しＲは近軸曲率半径である。面番号の右側に＊を付した面は、非球面であることを示す。また「ｅ−Ｚ」の表示は「１０−Ｚ」を意味する。
【００９７】
［数値実施例１］
単位 mm
面データ
面番号       r        d      nd         νd
1          ∞       0.70   1.51000    60.0
2          ∞     (可変)
3        -65.737    3.95   2.00069    25.5
4        -22.170    3.52
5*       -14.334    3.00   1.63550    23.8
6*       110.330    0.30
7*        48.492    6.84   1.53110    55.9
8*       -21.874    1.20
9*       128.789    1.41   1.63550    23.8
10*        22.276    1.20
11         39.057    8.21   1.83481    42.7
12        -39.057   27.00
13  (アイポイント)
非球面データ
第5面
K =-7.28787e-001  A 4=-6.03675e-005  A 6= 1.77471e-007
第6面
K = 4.51650e+001  A 4=-1.11796e-005  A 6=-6.19143e-008
第7面
K =-4.38548e+000  A 4=-2.38798e-005  A 6=-2.65742e-008
第8面
K =-1.22703e+000  A 4=-4.69821e-006  A 6= 3.91413e-008
第9面
K =-2.69921e+002  A 4=-1.52881e-007  A 6=-4.63945e-009
第10面
K =-4.63925e+000  A 4= 4.39848e-006  A 6= 5.19693e-010
各種データ
視度[diopter] -2.0     +2.5     -6.0
焦点距離      28.56    28.56    28.56
d 2            9.12    12.79     5.80
【００９８】
［数値実施例２］
単位 mm
面データ
面番号       r        d      nd         νd
1          ∞       0.70   1.51000    60.0
2          ∞     (可変)
3*       -98.827   11.19   1.85135    40.1
4*       -71.371   20.00
5*       -49.765    3.00   1.63550    23.8
6*      -407.575    1.11
7*     -1171.461    7.94   1.49171    57.4
8*       -82.367    1.20
9*       219.883    3.76   1.63550    23.8
10*        74.863    1.23
11*        95.021    8.12   1.80610    40.7
12*       -92.616   27.00 
13  (アイポイント)
非球面データ
第3面
K = 4.54099e-001  A 4= 3.40725e-008  A 6= 7.53032e-011  A 8=-1.51639e-013
第4面
K = 3.40970e-001  A 4= 8.48720e-008  A 6=-4.76459e-011  A 8= 1.79616e-014
第5面
K = 3.53841e-001
第6面
K =-1.00057e+003
第7面
K =-2.99780e+003  A 4=-5.75156e-006  A 6= 7.03535e-009
第8面
K =-1.18365e+000  A 4= 4.34382e-006  A 6=-5.53385e-009
第9面
K = 1.75400e+001  A 4=-2.52412e-006  A 6=-7.75632e-009
第10面
K =-1.05760e+001  A 4=-6.88282e-006  A 6= 3.02568e-009
第11面
K = 3.83428e+000
第12面
K = 1.63448e+000
各種データ
視度[diopter] -2.0     +2.0     -4.0
焦点距離      91.98    91.98    91.98
d 2           31.59    66.08    20.00
【００９９】
［数値実施例３］
単位 mm
面データ
面番号       r        d      nd         νd
1          ∞       0.70   1.51000    60.0
2          ∞     (可変)
3        -18.559    1.00   1.64769    33.8
4        405.260    8.54   1.69350    53.2
5*       -30.810    1.18
6*       161.494    7.67   1.49171    57.4
7        -38.921    0.10
8*        48.932    8.43   1.49171    57.4
9        -97.046    0.10
10         33.326    1.20   1.69895    30.1
11         22.887   30.00
12  (アイポイント)
非球面データ
第5面
K =-6.54146e-003
第6面
K =-2.64204e+002  A 4=-3.16425e-006  A 6=-2.31819e-009
第8面
K = 1.87604e+000
各種データ
視度[diopter] -2.0     +2.5     -6.0
焦点距離      50.29    50.29    50.29
d 2           28.47    40.02    20.00
【０１００】
［数値実施例４］
単位 mm
面データ
面番号       r        d      nd         νd
1          ∞       0.70   1.51000    60.0
2          ∞     (可変)
3*       166.099    9.26   1.53110    55.9
4*       -34.164    6.60
5*       -28.931    3.82   1.63550    23.8
6*       -93.400    0.47
7*      -153.697    3.79   1.53110    55.9
8*       -50.254    2.12
9*       -40.174    6.83   1.63550    23.8
10*       -56.296    1.20
11      -3131.870    4.55   1.53110    55.9
12        -62.412    1.20
13        110.718    3.36   1.49700    81.5
14       -332.326   27.00
15  (アイポイント)
非球面データ
第3面
K =-9.59406e+001  A 4=-2.43307e-006  A 6=-5.82983e-009
第4面
K = 3.24062e-001  A 4= 2.14830e-006  A 6= 2.81943e-009
第5面
K = 9.32664e-002  A 4=-5.63898e-007  A 6= 2.57659e-008
第6面
K =-8.05489e+000  A 4= 6.49218e-007  A 6=-1.63252e-010
第7面
K =-4.96939e+001  A 4=-1.17845e-006  A 6=-4.58865e-009
第8面
K = 2.90402e-001  A 4=-2.46377e-006  A 6= 5.28440e-009
第9面
K =-1.87452e-001  A 4= 1.66992e-006  A 6=-7.39182e-009
第10面
K = 2.96336e+000  A 4= 4.16642e-007  A 6= 1.08928e-009
各種データ
視度[diopter] -2.0     +2.0     -4.0
焦点距離      52.34    52.34    52.34
d 2           22.29    33.23    17.21
【０１０１】
［数値実施例５］
単位 mm
面データ
面番号       r        d      nd         νd
1          ∞       0.70   1.51000    60.0
2          ∞     (可変)
3      -1201.003   20.00   1.48749    70.2
4        -89.718   20.00
5*       -64.550    3.06   1.63550    23.8
6*      -160.023    2.00
7*      -230.109    3.54   1.53110    55.9
8*      -119.762    1.20
9*       -86.800   12.72   1.63550    23.8
10*      -103.753    1.20
11       5354.752    4.23   1.60311    60.6
12       -123.568    1.20
13        178.678    3.96   1.51633    64.1
14       -395.781   27.00
15  (アイポイント)
非球面データ
第5面
K = 2.64919e+000  A 4=-7.42759e-007
第6面
K =-6.77987e+001  A 4=-2.49183e-008
第7面
K = 6.98083e+001  A 4=-1.18509e-006
第8面
K = 5.02189e+000  A 4=-2.98254e-006  A 6=-1.01200e-009
第9面
K = 2.92913e+000  A 4= 1.34769e-006
第10面
K = 1.50370e+000  A 4=-8.31493e-007
各種データ
視度[diopter]   -2.0     +2.0     -4.0
焦点距離     104.68   104.68   104.68
d 2           32.12    76.83    17.13
【０１０２】
［数値実施例６］
単位 mm
面データ
面番号       r        d      nd         νd
1          ∞       0.70   1.51000    60.0
2          ∞     (可変)
3*       136.125    8.69   1.69350    53.2
4*       -43.222    8.67
5*       -28.738    3.00   1.63550    23.8
6*       -89.027    0.30
7*      -231.429    5.74   1.53110    55.9
8*       -46.578    2.68
9*       -39.537    2.66   1.63550    23.8
10*       -55.894    1.84
11*     -2299.162    5.94   1.53110    55.9
12*       -60.213    1.20
13        110.718    4.00   1.55332    71.7
14       -332.326   27.00
15  (アイポイント)
非球面データ
第3面
K =-6.07439e+000  A 4=-1.82896e-006  A 6=-5.07089e-009
第4面
K = 5.99930e-001  A 4= 1.41427e-006  A 6= 4.25770e-010
第5面
K = 1.13826e-001  A 4=-6.11987e-007  A 6= 2.58066e-008
第6面
K =-7.86704e+000  A 4= 6.27492e-007  A 6=-5.81898e-010
第7面
K =-3.07481e+001  A 4=-8.80513e-007  A 6=-3.57889e-009
第8面
K = 5.53963e-001  A 4=-2.76657e-006  A 6= 4.45282e-009
第9面
K =-1.40844e-001  A 4= 1.47140e-006  A 6=-7.32877e-009
第10面
K = 3.06010e+000  A 4= 6.99258e-007  A 6= 1.21727e-009
第11面
K = 1.00225e+004  A 4=-2.66396e-007  A 6= 8.58565e-011  A 8= 9.72106e-013
第12面
K =-3.51427e-001  A 4= 2.36708e-007  A 6= 2.33340e-010  A 8=-4.05287e-013
各種データ
視度[diopter] -2.0     +2.0     -4.0
焦点距離      45.99    45.99    45.99
d 2           19.29    27.62    15.12
【０１０３】
【表１】
2016051066.tif 000003
【０１０４】
次に各実施例に示したような接眼レンズを用いたビデオカメラの実施形態について、図１３を用いて説明する。
【０１０５】
図１３において、１０はビデオカメラ本体であり、１１は、不図示の撮像素子上に被写体像を形成する撮像光学系、１２は集音マイクである。１３は、不図示の画像表示素子に表示された被写体像を、本発明の接眼レンズを介して観察するための観察装置（電子ビューファインダー）である。画像表示素子は液晶パネル等により構成され、画像表示素子には、撮影光学系１１によって形成された物体像等が表示される。
【０１０６】
このように本発明の接眼レンズを、ビデオカメラ等の撮像装置に適用することにより、軽量でありながら、高い光学性能を有する撮像装置を得ることができる。
【符号の説明】
【０１０７】
Ｌ  接眼レンズ
Ｇ１  第１レンズ
Ｇ２  第２レンズ
Ｇ３  第３レンズ
Ｇ４  第４レンズ
Ｇ５  第５レンズ
Ｇ６  第６レンズ
Ｉ  画像表示面
ＥＰ  アイポイント
【図１】
2016051066.tif 000004
【図２】
2016051066.tif 000005
【図３】
2016051066.tif 000006
【図４】
2016051066.tif 000007
【図５】
2016051066.tif 000008
【図６】
2016051066.tif 000009
【図７】
2016051066.tif 000010
【図８】
2016051066.tif 000011
【図９】
2016051066.tif 000012
【図１０】
2016051066.tif 000013
【図１１】
2016051066.tif 000014
【図１２】
2016051066.tif 000015
【図１３】
2016051066.tif 000016